(57)【要約】【課題】本願発明は確実にインナーシューズをシューズ本体内の所定の位置に装着できて、かつ激しい動きに際してもずれにくいインナーシューズ関するものである。【解決手段】本願発明は、シューズ本体と、シューズ本体の内面に沿った形状でシューズ本体に着脱自在に装着されるインナーシューズと、インナーシューズの中にさらに中敷を有するシューズとからなり中敷底面とシューズ本体の内底面の、着用して動作した際に足裏から荷重が加わる領域に着脱用孔およびもしくは対となる係合手段を設け、シューズ本体と中敷との間にインナーシューズ底面を挟み込むことによりシューズ本体内にインナーシューズを固定させるようにしたことを特徴とするものである。【選択図】        図２
2004222949.tif 000002
【特許請求の範囲】
【請求項１】
シューズ本体と、前記シューズ本体の内面に沿った形状で前記シューズ本体に着脱自在に装着されるインナーシューズと、前記インナーシューズの中にさらに中敷を有するシューズにおいて、
前記中敷底面および前記シューズ本体の内底面の、履用して動作した際に足裏から荷重が加わる領域に対となる係合手段を設け、前記シューズ本体と前記中敷との間に前記インナーシューズ底面を挟み込むことにより、前記シューズ本体内に前記インナーシューズを固定させるようにしたスポーツシューズ。
【請求項２】
請求項１において、
前記インナーシューズ底面の、履用して動作した際に足裏から荷重が加わる領域に対応する領域に、着脱用孔を設けたスポーツシューズ。
【請求項３】
請求項１において、
前記中敷底面および前記シューズ本体の内底面の、第１中足骨骨頭と第２中足骨骨頭と拇趾先端とを結ぶ領域及び踵部分に対応する領域とに対となる係合手段を設けたスポーツシューズ。
【請求項４】
請求項１において、
前記中敷底面および前記シューズ本体の内底面の、第１中足骨骨頭と第２中足骨骨頭と拇趾先端とを結ぶ領域と、第５中足骨骨頭から子趾先端を結ぶ領域と、踵外側に対応する領域とに対となる係合手段を設けたスポーツシューズ。
【請求項５】
請求項２において、
前記インナーシューズ底面の、履用した際に足の第１中足骨骨頭と第２中足骨骨頭と拇趾先端とを結ぶ領域及び踵部分に対応する領域とに着脱用孔を設けたスポーツシューズ。
【請求項６】
請求項２において、
前記中敷底面および前記シューズ本体の内底面の、第１中足骨骨頭と第２中足骨骨頭と拇趾先端とを結ぶ領域と第５中足骨骨頭から子趾先端を結ぶ領域と、踵外側に対応する領域とに対となる着脱用孔を設けたスポーツシューズ。
【請求項７】
請求項１、２、３、４、５または６において、
前記係合手段として、前記中敷底面および前記シューズ本体の内底面に、互いに係合する複数の凸状部と凹状部を設けたスポーツシューズ。
【請求項８】
請求項２、５または６において、
前記係合手段として前記中敷底面の一部もしくは全面と前記シューズ本体の内底面の一部もしくは全面とに一対の面ファスナーを設け、前記インナーシューズ底面の着脱用孔を通して前記中敷底面と前記シューズ本体の内底面とに設けた面ファスナーを係合することにより、前記シューズ本体内に前記インナーシューズを固定させる構造のスポーツシューズ。
【発明の詳細な説明】
【０００１】
【発明の属する技術分野】
本発明はシューズ本体内に簡単に装着でき、かつ履用時にずれにくいインナーシューズと中敷とシューズ本体とを備えたスポーツシューズに関するものである。
【０００２】
【従来の技術】
従来より、シューズの内部を衛生的に保つため、インナー部材をシューズと別体に設けることにより、足または靴下と接触するインナー部材だけを取り外して洗うことが出来るシューズが知られている。
【０００３】
例えば、特開平５−７６４０４号にはフィルムないしシートで形成され、履物の内面に沿って着脱自在に装着されるインナーシューズ（衛生内張り体）が開示されている。
【０００４】
また、登録実用新案第３０４０８６４号には、インナーシューズ（インナーソックス）をシューズ本体（長靴本体）に挿入して、インナーシューズ（インナーソックス）の履口部両側でインナーシューズ（インナーソックス）に取り付けられた帯状片を履口部上端縁部に沿って外側に折り返して、上辺部に取り付けられた係合片をシューズ本体（長靴本体）に取り付けられた係合片と係合するだけで、簡単に位置決めしてインナーシューズ（インナーソックス）をシューズ本体（長靴本体）に挿入固定することが出来るインナーシューズが開示されている。
【従来技術の開示】
【特許文献１】特開平５−７６４０４号
【特許文献２】登録実用新案公報第３０４０８６４号
【０００５】
【発明が解決しようとする課題】
しかしながら、シューズを履用して動作するに際には、足裏にはせん断の力が加わる。
例えば、図４は走行動作の際に足裏から接地面に作用する足圧分布と摩擦応力分布を示したものである。すなわち、色の濃いところほど、足裏から接地面に対し鉛直な方向に大きな荷重が加えられていることを示している（足圧分布）。また、矢印は、足裏から接地面に対し水平方向に加えられる力を示している（摩擦応力分布）。
足圧分布からは、走行動作において、足の第１中足骨骨頭４２と第２中足骨骨頭４３と拇趾先端４４とを結ぶ領域４１、及び踵部分に対応する領域４５において、接地面に大きな荷重が加わっていることが分かる。この領域に関しては図５に示す。
また、摩擦応力分布においては、接地面に各方向に摩擦応力、すなわちせん断力が加わっていることが分かる。このせん断力によって、インナーシューズがシューズ本体内で動いてしまうという問題が発生する。
【０００６】
しかしながら、特開平５−７６４０４号に記載されたインナーシューズ（衛生内張り体）は、シューズ本体（履物）に固着されておらず、せん断力が加わった場合に、シューズ本体（履物）内でインナーシューズ（衛生内張り体）が動いてしまい、足とシューズとの一体感が保たれないという問題点があった。
【０００７】
一方、登録実用新案公報第３０４０８６４号の考案では、履口部分にインナーシューズ（インナーソックス）とシューズ本体（長靴本体）を係合する為の帯状片が設けられているため、インナーシューズ（インナーソックス）とシューズ本体（長靴本体）とを固定する事が出来る。しかし、せん断力はインナーシューズ底面部分に加わる為、インナーシューズ（インナーソックス）とシューズ本体（長靴本体）が履口部分で固定されていてもインナーシューズ底面部分では固定されていない為、インナーシューズ（インナーソックス）がシューズ本体（長靴本体）内でずれてしまうという問題は解決されなかった。
【０００８】
また、インナーシューズをシューズ本体内に固定するために、インナーシューズ底面とシューズ本体の内底面とに、対となる面ファスナーを設けたシューズもあったが、シューズ本体内にインナーシューズを挿入する際に、インナーシューズ底面の面ファスナーが甲被の履口部分に引っかかったり、またインナーシューズをシューズ本体内の所定の位置まで挿入する前にお互いの面ファスナーが引っかかって固定されてしまい、好ましい位置に装着することが簡単には出来なかった。
本発明は、以上のような従来の問題点を解決するために、確実にインナーシューズをシューズ本体内の所定の位置に装着できて、かつ激しい動きに際してもずれないインナーシューズを提供することを目的とする。
【０００９】
【課題を解決するための手段】
本発明のインナーシューズ、中敷、シューズ本体は、
シューズ本体と、前記シューズ本体の内面に沿った形状で前記シューズ本体に着脱自在に装着されるインナーシューズと、前記インナーシューズの中にさらに中敷を有するシューズにおいて、
前記中敷底面および前記シューズ本体の内底面の、履用して動作した際に足裏から荷重が加わる領域に対となる係合手段を設け、前記シューズ本体と前記中敷との間に前記インナーシューズ底面を挟み込むことにより、前記シューズ本体内に前記インナーシューズを固定させるようにしたスポーツシューズ
である。
【００１０】
履用して動作した際に足裏から荷重が加わる領域に対となる係合手段を設けたので、前記シューズ本体と前記中敷との間に前記インナーシューズ底面を挟み込むことができ、インナーシューズ底面にせん断の力が加わっても、シューズ本体と中敷とに挟み込まれたインナーシューズがシューズ内でずれない構造となっている。
【００１１】
【発明の実施の形態】
本発明の実施の形態について、添付図面に基づいて説明する。
【００１２】
本発明は図２、図３、図１９、図２０に示すように、中敷底面２２とシューズ本体の内底面１２の、履用して動作した際に足裏から荷重が加わる領域に対となる係合手段を設け、足裏から荷重が加わる領域には着脱用孔３３を設けて、着脱用孔３３を介して係合手段を係合する事によって、シューズ本体１１と中敷２１とでインナーシューズ３１を挟み込む構造となっている。
【００１３】
係合手段としては、互いに係合する凸状部と凹状部を中敷底面とシューズ本体の内底面に設ける方法や、中敷底面の一部もしくは全面と、シューズ本体の内底面の一部もしくは全面とに面ファスナーを設ける方法が考えられる。
【００１４】
係合手段として互いに係合する凸状部２３と凹状部１３を中敷底面２２とシューズ本体の内底面１２に設けた場合、インナーシューズ３１の対応する領域に着脱用孔３３を設けず、図１０のように、インナーシューズ底面３２を凸状部２３と凹状部１３の形状に沿わせることによって、係合することも出来る。
【００１５】
図８は係合手段として凸状部２３と凹状部１３を設ける場合において、インナーシューズ３１をシューズ本体内に挿入する時、すなわち荷重を加えない場合の図１のＡ−Ａ部分のソール部分の断面図である。インナーシューズ底面には凸状部２３と凹状部１３に対応する部分に着脱用孔３３を設けた。
足から荷重が加わっていない場合には、インナーシューズ底面３２の材料の厚みによって、中敷の凸状部２３とシューズ本体１１の凹状部１３は接触しない構造となっているため、互いの係合手段同士が引っかからず挿入しやすい。
【００１６】
図９は、インナーシューズと中敷を挿入した後、履用して荷重を加えた場合の図１のソール部分の断面図で、凸状部２３と凹状部１３による係合部分を拡大したものである。
荷重を加える事によって、インナーシューズ底面３２の材料が圧縮され、着脱用孔３３を通して中敷２１の底面２２及びシューズ本体１１の内底面１２に設けられた凸状部２３と凹状部１３が係合し、インナーシューズ底面３２は中敷２１の底面２２とシューズ本体１１の内底面１２に挟み込まれて固定される。
【００１７】
インナーシューズ底面３２に着脱用孔を設けない場合は、荷重領域対応部分に伸びのある材料を用いて、図１０の様にインナーシューズ底面３２を係合部分の凹凸に沿わせ凸状部２３と凹状部１３を係合させることによって、インナーシューズ底面３２は、中敷２１の底面２２とシューズ本体１１の内底面１２に挟み込まれて、固定される。
【００１８】
図１１は係合手段として中敷底面の一部とシューズ本体の内底面の一部とに面ファスナー１４、２４を設ける場合において、インナーシューズ３１をシューズ本体に挿入する時、すなわち荷重を加えない場合の図１のＡ−Ａ部分のソール部分の断面図であり、係合部分を拡大したものである。インナーシューズの底面には面ファスナーに対応する領域に着脱用孔３３を設けた。
足から荷重が加わっていない場合には、インナーシューズ底面３２の材料の厚みを利用して、互いの面ファスナーを接触させずに挿入できるので、面ファスナー同士が引っかかることがない。
【００１９】
図１２は、インナーシューズと中敷を挿入した後、履用後荷重を加えた場合の図１のＡ−Ａ部分のソール部分の断面図であり、係合部分を拡大したものである。
荷重を加える事によって、インナーシューズ底面３２の材料が圧縮され、中敷底面２２及びシューズ本体の内底面１２に設けられた面ファスナー２４，１４が着脱用孔３３部分で係合され、インナーシューズ底面３２は中敷２１の底面２２とシューズ本体１１の内底面１２に挟み込まれ固定される。
【００２０】
中敷底面２２とシューズ本体の内底面１２とに面ファスナーを設ける場合、図１３に示すように中敷底面２２全面とシューズ本体の内底面１２全面とに面ファスナーを設けることも出来る。この場合、履用後荷重を加えると、図１４に示す様に、インナーシューズ底面３２の材料が圧縮され、中敷底面２２全面及びシューズ本体の内底面１２全面に設けられた面ファスナー２４、１４が着脱用孔３３部分で係合され、インナーシューズ底面３２は中敷２１の底面２２とシューズ本体１１の内底面１２に挟み込まれ固定される。
この場合、係合していない部分の面ファスナーは圧縮された形のまま履用される。
【００２１】
また、同じく、図１５に示すように中敷底面２２の一部とシューズ本体の内底面１２の全面、もしくは図示はしないが、中敷底面２２の全面とシューズ本体の内底面１２の一部とに面ファスナーを設けることも出来る。この場合、履用後荷重を加えると、図１６に示す様に、インナーシューズ底面３２の材料が圧縮され、中敷底面２２の一部及びシューズ本体の内底面１２全面に設けられた面ファスナー２４、１４が着脱用孔３３部分で係合され、インナーシューズ底面３２は中敷２１の底面２２とシューズ本体１１の内底面１２に挟み込まれ固定される。
この場合、係合していない部分の面ファスナーは圧縮された形のまま履用される。
【００２２】
互いに係合する凸状部と凹状部を設ける場合、凸状部と凹状部の形状は係合しやすい形状であればその形状を問わないが、円柱形状や半円柱形状、三角柱形状、四角柱形状等の単純な形状が好ましい。
【００２３】
凸状部と凹状部の高さ及び深さが２ｍｍ未満であるとせん断の力が加わった際に係合がはずれやすくなる。また、凸状部と凹状部の高さ及び深さが１０ｍｍ以上であると、挿入時に凸状部と凹状部が互いに接触しないようにする為に、インナーシューズ底面の厚みを厚くする必要があり、インナーシューズの重量増加につながる。よって、凸状部と凹状部の高さ及び深さは２ｍｍ以上１０ｍｍ以下程度が適当である。
【００２４】
凹状部の深さを凸状部の高さより１ｍｍ程度大きくする事によって、凹状部の深さや凸状部の高さが生産条件のばらつきにより不均一になった場合にも、凸状部の高さが凹状部の深さ内に収まり、安定した状態で中敷をシューズ本体内に固定することができる。
また、凹状部の断面形状の外周を凸状部の断面形状の外周より一回り、すなわち径を１ｍｍ程度大きくすることによって、装着する際に係合がしやすくなる。
【００２５】
図１７の様に凸状部の側壁に５度程度の勾配をつけることによって、より係合がスムーズになる。
【００２６】
係合手段として凸状部と凹状部を設ける場合、中敷本体の材料は、シューズ本体内に挿入しやすいよう、ある程度剛性のある材料であれば特に限定されるものではない。また、凸状部および凹状部の材料はせん断の力が加わった際に凸状部および凹状部が変形しない程度の硬さを有したものが良い。
【００２７】
具体的には、中敷本体の材料としては、ＡＳＫＥＲ硬度計で４０〜６５（Ｃ）程度の発泡体が望ましい。
硬度が４０（Ｃ）未満の場合は、中敷自体の剛性が低くなりインナーシューズ内、及びシューズ本体内に挿入しにくくなる。
硬度が６５（Ｃ）より大きい場合は、クッション性が悪くなり、また履用した際の足当たり感も悪くなってしまう。
【００２８】
中敷底面に設ける凸状部および凹状部の材料としては、ＡＳＫＥＲ硬度計で４０〜７５（Ｃ）程度の材料が望ましい。
硬度が４０（Ｃ）未満の場合、せん断の力が加わった際に凸状部および凹状部が変形してしまい、係合力が低下してしまう。
硬度が７５（Ｃ）より大きい場合、履用時に凸状部および凹状部による突き上げ感が生じてしまう。
また、中敷本体部分の硬度を４０〜６５（Ｃ）とし、凸状部および凹状部のみを硬度６５〜７５（Ｃ）程度にすることによって、中敷本体は硬すぎずかつより強固な係合が期待できる。
【００２９】
係合手段として中敷底面の一部もしくは全面とシューズ本体の内底面の一部もしくは全面に面ファスナーを設ける場合、中敷の材料は特に限定されるものでないが、シューズ本体内に挿入しやすいようある程度剛性のある材料がよい。
【００３０】
具体的にはＡＳＫＥＲ硬度計で４０〜６５（Ｃ）程度の発泡体が望ましい。
硬度が４０（Ｃ）未満の場合、中敷自体の剛性が低くなり、インナーシューズ内、及びシューズ本体内に挿入しにくくなる。
硬度が６５（Ｃ）以上の場合、クッション性が悪くなり、また履用した際の足当たり感も悪くなってしまう。
【００３１】
その場合、面ファスナーの中敷底面への固着方法は接着でも構わないし、直接中敷に縫い付けることも可能である。
接着することによって、より簡単に面ファスナーを中敷に固着することが出来る。
また、縫い付けることによって、面ファスナーを中敷により強固に固着することが出来る。
【００３２】
係合手段として凸状部と凹状部を設ける場合、シューズ本体の内底面の材料は、上面に凸状部および凹状部が形成できるものであれば特に問わないが、せん断の力が加わった際に凸状部および凹状部が変形しない程度の硬さは必要である。
具体的にはＡＳＫＥＲ硬度計で４０〜６５（Ｃ）程度の発泡体が望ましい。
硬度が４０（Ｃ）未満の場合、せん断の力が加わった際に凸状部および凹状部が変形してしまい、強固に係合することができない。また、繰り返し使用した際のヘタリが大きくなり、係合力が低下してしまう。
硬度が６５（Ｃ）以上の場合、クッション性が悪くなる。
また、図１８の様にシューズ本体の内底面に中底１５を設ける場合は、中底１５にも着脱用孔を設ける必要がある。
【００３３】
係合手段として中敷底面の一部もしくは全面とシューズ本体の内底面の一部もしくは全面に面ファスナーを設ける場合、シューズ本体の内底面の材料は、面ファスナーを固着できるものであれば特に問わない。
【００３４】
また、面ファスナーのシューズ本体の内底面への固着方法は接着でも構わないし、縫い付けることも可能である。
接着することによって、より簡単に面ファスナーをシューズ本体の内底面に固着することが出来る。
また、縫い付けることによって、面ファスナーをシューズ本体の内底面により強固に固着することが出来る。
【００３５】
インナーシューズ底面３２の材料は、インナーシューズ底面３２の厚みと中敷底面２２の凸状部２３の高さとの差が０ｍｍ〜３ｍｍで、２０ｋｇ程度の荷重で１ｍｍ程度に押しつぶす事の出来る材料が良い。
インナーシューズ底面３２の厚みと凸状部２３の高さとの差が０ｍｍ以下、すなわち、インナーシューズ底面３２の材料の厚みが凸状部２３の高さより小さい場合は、挿入時に中敷底面２２の凸状部２３とシューズ本体の内底面１２の凹状部１３が互いに接触してしまうため、挿入しにくくなる。
また凸状部２３の高さとインナーシューズ底面３２の材料の厚みとの差が３ｍｍより大きい場合は、インナーシューズ底面３２の材料の厚みによって係合手段が遠ざけられ、履用時に係合力が低下するという問題が発生する。
【００３６】
子供が本発明のシューズを履用した場合も考慮して、子供の体重でも凸状部と凹状部が係合される様、２０Ｋｇ程度の荷重で、１ｍｍ程度に圧縮されるものが良い。圧縮された時の厚みが１ｍｍより大きい場合、凸状部と凹状部が遠ざけられ、係合力が低下するという問題が発生する。
具体的には、ＡＳＫＥＲ硬度２０（Ｃ）程度の発泡体に生地を貼り付けたもの、もしくはダブルラッセルメッシュ等が良い。
発泡体に生地を貼り付けたものを用いることによって良好なクッション性が得られる。またダブルラッセルメッシュを用いることによって足裏の通気が良くなり、インナーシューズ内の蒸れを防ぐ事が出来る
【００３７】
インナーシューズの着脱用孔３３の形状は、図２、図３の様に足裏から荷重が加わる領域の形状に設けても良いし、さらに係合手段として凸状部２３と凹状部１３を設ける場合には、図示はしないが中敷底面２２の凸状部２３に対応する位置にのみ着脱用孔３３を設けても良い。
【００３８】
中敷底面２２の凸状部２３に対応する位置に着脱用孔３３を設けた場合、インナーシューズ３１がシューズ本体内でさらにずれにくくなる。また、その際には凸状部２３の形状よりも、着脱用孔３３の形状をひとまわりすなわち１ｍｍ程度大きい形状にすると、装着時に係合がしやすくなる。
【００３９】
係合手段として凸状部と凹状部を設ける場合、インナーシューズ底面３２の荷重領域対応部分に伸びのある材料を用いることで、図１０の様にインナーシューズ底面３２を係合部分の凹凸に沿わす事が出来、着脱用孔を設けずに凸状部と凹状部を係合させることも出来る。また、より生産を簡略化する為に底面全体を伸びのある材料としても良い。
伸びのある材料としては、具体的にはポリウレタン繊維等を用いると良い。
【００４０】
インナーシューズ３１の甲被部分を構成する材料は袋状に形成できるものであれば、特に限定されるものではない。
インナーシューズ３１の甲被部分をエチレンビニルアルコール繊維を用いた材料で構成することによって、材料が足に触れたときの冷感が得られ、夏場等暑い環境下で使用する際にも快適なものとなる。
また、インナーシューズ３１の甲被部分をアクリレート系吸放湿吸水性繊維を用いた材料で構成することによって、シューズ内の水分を吸湿する事が出来、シューズ内の湿度を下げ、蒸れを防ぐ事が出来る。
【００４１】
また、甲被部分を底面部分と同様のダブルラッセルメッシュで構成することによって、生産においてインナーシューズ３１の材料の管理が容易となり、生産が簡略化される。
その場合、甲被部分から底面部分までを一体となった袋形状に構成でき、より製造工程が簡略化される。
【００４２】
対となる係合手段を設ける領域および着脱用孔を設ける領域は以下の様に決定する。
走行動作においては、図４に示す様に、第１中足骨骨頭４２と第２中足骨骨頭４３と拇趾先端４４とを結ぶ領域４１．及び踵部分に対応する領域４５において、鉛直方向に大きな荷重が足裏から接地面に加わっている。
【００４３】
そこで、中敷底面２２とシューズ本体の内底面１２において、足裏に対し鉛直方向に荷重が加わる領域、すなわち図５に示す様に第１中足骨骨頭４２と第２中足骨骨頭４３と拇趾先端４４とを結ぶ領域４１、及び踵部分に対応する領域４５とに、前記した凸状部と凹状部とからなる係合手段や面ファスナーによる係合手段を設けることができる。
このように構成することにより、中敷底面２２とシューズ本体の内底面１２の全面に係合手段を設けなくても、係合手段を設ける位置が最小領域で済むので、加工の手間がかからず、しかも、中敷とシューズ本体で挟み込みこまれたインナーシューズはシューズ本体内に強固に固定され、せん断力に対してもずれにくい構造となる。
【００４４】
また、図６はバスケットボールのサイドステップ動作の際に足裏に作用する足圧分布と摩擦応力分布を示したものである。
図６に示すようにバスケットボールでのサイドステップ動作では第１中足骨骨頭４２と第２中足骨骨頭４３と拇趾先端４４とを結ぶ領域４１、第５中足骨骨頭４７から子趾先端４８を結ぶ領域４６、踵外側に対応する領域４９に鉛直方向に大きな荷重が加わる。よって、図７に示す様に第１中足骨骨頭４２と第２中足骨骨頭４３と拇趾先端４４とを結ぶ領域４１、第５中足骨骨頭４７から子趾先端４８を結ぶ領域４６、踵外側に対応する領域４９に係合手段を設けると良い。
【００４５】
いずれの係合手段、材料を用いた場合にも、動作中に鉛直方向の荷重が加わる部分に係合手段が設けられていることにより、動作中に加わる荷重が大きいほど中敷とシューズ本体が強固に固着され、インナーシューズがシューズ本体中でよりずれにくくなる。
【００４６】
【実施例】
図２は本発明の一実施様態によるシューズ１を甲被側から見た図、図３は本発明の一実施様態によるシューズ１を底面側から見た図である。
【００４７】
中敷本体２１の材料には厚さ３ｍｍでＡＳＫＥＲ硬度計で硬度６０（Ｃ）のＥＶＡの発泡体とポリエステル繊維で構成された生地とを貼りあわせたものを用いた。これは中敷本体２１に剛性を持たせ、かつ足裏と接触する面の感触を良くするためである。また、中敷本体２１を圧縮成型する際に用いる金型に、凸状部２３の形状を彫り込むことにより、中敷本体２１を熱成型する際に同時に凸状部２３を中敷本体と一体として成型した。中敷本体と凸状部を同時に一体として成型することによって、より工程が簡略化された。
【００４８】
また、凸状部以外の中敷の厚みを薄くし、シューズ全体を軽量にする為に、中敷底面に凸状部、シューズ本体の内面に凹状部を設ける構造とした。
【００４９】
２６．０ｃｍの靴において、中敷底面２２の第１中足骨骨頭４２と第２中足骨骨頭４３と拇趾先端４４とを結ぶ辺長さ３５ｍｍ、７０ｍｍ、７５ｍｍの略三角形の領域４１中に高さ５ｍｍ、直径１０ｍｍの円柱状の凸状部２３を６個配置した。同じく、中敷底面２２の踵下の直径４０ｍｍの略円形の領域４５に高さ５ｍｍ直径１０ｍｍの円柱状凸状部２３を４個配置した。なお、上記は、２６．０ｃｍのサイズの靴においての値である。
凸状部を円柱状に形成することにより、凸状部側面に角が生じず、より凸状部の耐久性が上がった。
【００５０】
シューズ本体１１の内底面１２はＡＳＫＥＲ硬度６０（Ｃ）のＥＶＡの発泡体で構成した。
また、上記中敷の凸状部２３に対応する位置に、深さ６ｍｍ直径１２ｍｍの凹状部１３を設けた。
凹状部の断面形状を凸状部より１ｍｍ大きくすることにより、より係合がしやすくなった。
【００５１】
インナーシューズ３１の材料には底面、甲被部分共に厚さ３ｍｍのダブルラッセルメッシュを用いた。これは、足あたりが柔らかく、洗濯した際に乾燥が早く、かつ通気性を良くする為である。
インナーシューズ底面３２の第１中足骨骨頭４２と第２中足骨骨頭４３と拇趾先端４４とを結ぶ辺長さ３５ｍｍ、７０ｍｍ、７５ｍｍの略三角形の領域４１、中敷底面２２の踵下の直径４０ｍｍの略円形の領域４５には、係合部分を着脱するための着脱用孔３３を設けた。これは、より係合をしやすくするためである。
【００５２】
次に第２の実施例について説明する。
図１９は第２の実施例によるシューズ２を甲被側から見た図である。
【００５３】
中敷本体２１には、厚さ３ｍｍのＡＳＫＥＲ硬度係で６０（Ｃ）のＥＶＡの発泡体にポリエステル繊維で構成された生地を貼りあわせたものを用いた。
中敷底面２２には全面に面ファスナー２４の雄側を中敷外周で縫い合わせることにより固着した。一般に雄側の面ファスナーはほこり等を絡み取りやすいので、取り外して洗濯をする事が出来る中敷本体２１に固着することによって、常に面ファスナー２４の係合力を保てるようにした。
【００５４】
シューズ本体１１の内底面はＡＳＫＥＲ硬度６０（Ｃ）のＥＶＡの発泡体で構成し、その上面に厚さ１ｍｍの中底１５を設けた。
また、中底の上面全面に面ファスナー１４の雌側を接着により固着した。
【００５５】
インナーシューズ３１は底面、甲被共に厚さ３ｍｍのダブルラッセルメッシュで構成した。
【００５６】
また、インナーシューズ底面３２の第１中足骨骨頭４２と第２中足骨骨頭４３と拇趾先端４４とを結ぶ辺長さ３５ｍｍ、７０ｍｍ、７５ｍｍの略三角形の領域４１、第５中足骨骨頭４７から子趾先端４８を結ぶ長径７０ｍｍ短径２０ｍｍの略だ円形状の領域４６、踵外側の長径３０ｍｍ短径２０ｍｍの略だ円形の領域４９に、面ファスナー１４、２４を着脱するための着脱用孔３３を設けた。この形状は、足裏により大きなせん断の力が生じるバスケットボールシューズにおいて、インナーシューズがずれないようにするための形状であり、バスケットボールのサイドステップ動作時に、鉛直方向に荷重が加わる領域に対応している。
【００５７】
中敷底面２２に設けられた雄側の面ファスナー２４とシューズ本体１１の内底面１２に設けられた雌側の面ファスナー１４は、インナーシューズ底面３２の上記着脱用孔３３部分でのみ互いに係合される。インナーシューズ３１を中敷本体２１の底面２２とシューズ本体１１の内底面１２で挟み込み、着脱用孔３３部分で固定することによって、インナーシューズ３１をシューズ本体１１内に固着することが出来た。
【００５８】
また、中敷底面全面及びシューズ本体の内底面全面に面ファスナーを設けることによって、サイズ毎の面ファスナーの位置の調整が不要となり、生産を簡略化出来た。
【００５９】
【発明の効果】
以上のように本発明は、中敷とシューズ本体に設けられた係合手段を係合する事によって、走行やバスケットボール等の激しい動作においてもインナーシューズがシューズ本体内でずれないという効果を奏する。
また、いずれの係合手段、材料を用いた場合にも、動作中に足裏から鉛直方向の荷重が加わる部分に係合手段が設けられていることにより、動作中に加わる荷重が大きいほど中敷とシューズ本体が強固に固着され、インナーシューズがシューズ本体中でよりずれにくくなる。
【図面の簡単な説明】
【図１】図１は本発明のシューズを外甲側から見た図である。
【図２】図２は本発明のシューズ本体、インナーシューズ、中敷を甲被側から見た図である。
【図３】図３は本発明のシューズ本体、インナーシューズ、中敷を接地面側から見た図である。
【図４】図４は走行動作の際に足裏に作用する足圧分布と摩擦応力分布を示したものである。
【図５】図５は走行動作の際に足裏に作用する足圧分布が特に大きい領域を示したものである。
【図６】図６はバスケットボールのサイドステップ時の着地動作の際に足裏に作用する足圧分布と摩擦応力分布を示したものである。
【図７】図７はバスケットボールのサイドステップ時の着地動作の際に足裏に作用する足圧分布が特に大きい領域を示したものである。
【図８】図８はインナーシューズをシューズ本体に挿入する時、すなわち荷重を加えない場合の図１のＡ−Ａの断面図であり、凸状部と凹状部による係合部分を拡大したものである。
【図９】図９はインナーシューズを挿入後、履用して荷重を加えた場合の図１のＡ−Ａの断面図であり、凸状部と凹状部による係合部分を拡大したものである。
【図１０】図１０はインナーシューズ底面の荷重領域対応部分に伸びのある材料をもちいた場合のＡ−Ａの断面図の断面図である。
【図１１】図１１は係合手段として面ファスナーを設ける場合の、インナーシューズをシューズ本体に挿入する時、すなわち荷重を加えない場合の図１のＡ−Ａの断面図であり、面ファスナーによる係合部分を拡大したものである。
【図１２】図１２は係合手段として面ファスナーを設ける場合の、インナーシューズを挿入後、履用して荷重を加えた場合の図１のＡ−Ａの断面図であり、面ファスナーによる係合部分を拡大したものである。
【図１３】図１３は係合手段として面ファスナーを設ける場合において、中底底面及びシューズ本体の内底面全面に面ファスナーを設けた場合の、インナーシューズをシューズ本体に挿入する時、すなわち荷重を加えない場合の図１のＡ−Ａの断面図であり、面ファスナーによる係合部分を拡大したものである。
【図１４】図１４は係合手段として面ファスナーを設ける場合において、中底底面及びシューズ本体の内底面全面に面ファスナーを設けた場合の、インナーシューズを挿入後、履用して荷重を加えた場合の図１のＡ−Ａの断面図であり、面ファスナーによる係合部分を拡大したものである。
【図１５】図１５は係合手段として面ファスナーを設ける場合において、中底底面の一部とシューズ本体の内底面全面に面ファスナーを設けた場合の、インナーシューズをシューズ本体に挿入する時、すなわち荷重を加えない場合の図１のＡ−Ａの断面図であり、面ファスナーによる係合部分を拡大したものである。
【図１６】図１６は係合手段として面ファスナーを設ける場合において、中底底面の一部とシューズ本体の内底面全面に面ファスナーを設けた場合の、インナーシューズを挿入後、履用して荷重を加えた場合の図１のＡ−Ａの断面図であり、面ファスナーによる係合部分を拡大したものである。
【図１７】図１７は凸状部の側壁に５度程度の勾配を設けた場合の凸状部の断面図である。
【図１８】図１８はシューズ本体の内底面上に中底を設けた場合のＡ−Ａの断面図の断面図であり、係合部分を拡大したものである。
【図１９】図１９は第２の実施例のシューズ本体、インナーシューズ、中敷を甲被側から見た図である。
【図２０】図２０は本発明のシューズ本体、インナーシューズ、中敷を接地面側から見た図である。
【符号の説明】
１    シューズ
１１  シューズ本体
１２  シューズ本体の内底面
１３  凹状部
１４  面ファスナー
１５  中底
２１  中敷本体
２２  中敷底面
２３  凸状部
２４  面ファスナー
３１  インナーシューズ
３２  インナーシューズ底面
３３  着脱用孔
４１  足の第１中足骨骨頭と第２中足骨骨頭と拇趾先端とを結ぶ領域
４２  第１中足骨骨頭
４３  第２中足骨骨頭
４４  拇趾先端
４５  踵部分に対応する領域
４６  第５中足骨骨頭から子趾先端をつないだ領域
４７  第５中足骨骨頭
４８  子趾先端
４９  踵外側に対応する領域
【図１】
2004222949.tif 000003
【図２】
2004222949.tif 000004
【図３】
2004222949.tif 000005
【図４】
2004222949.tif 000006
【図５】
2004222949.tif 000007
【図６】
2004222949.tif 000008
【図７】
2004222949.tif 000009
【図８】
2004222949.tif 000010
【図９】
2004222949.tif 000011
【図１０】
2004222949.tif 000012
【図１１】
2004222949.tif 000013
【図１２】
2004222949.tif 000014
【図１３】
2004222949.tif 000015
【図１４】
2004222949.tif 000016
【図１５】
2004222949.tif 000017
【図１６】
2004222949.tif 000018
【図１７】
2004222949.tif 000019
【図１８】
2004222949.tif 000020
【図１９】
2004222949.tif 000021
【図２０】
2004222949.tif 000022